(57)【要約】      （修正有）【課題】電池の出し入れ、特に、電池を取り出す時の操作性が極めて優れている補聴器を提供する。【解決手段】耳あな形補聴器１は、ケーシング本体２に集音のためのマイク部、音を増幅する増幅手段４及び音を発生させるスピーカ部５が設けられた耳あな形補聴器１であって、ケーシング本体２に、ボタン形電池６を収容可能な上方が開口した電池収容部７が形成され、ケーシング本体２に、電池収容部７の開口を塞ぐ蓋部材８が、上方に開閉可能に回動可能に取り付けられ、蓋部材８が、蓋部材８を閉じた時に電池収容部７に形成されたボタン形電池６を吸着保持する磁石９を備える。【選択図】図３
2015207979.tif 000002
【特許請求の範囲】
【請求項１】
ケーシング本体に集音のためのマイク部、音を増幅する増幅手段及び音を発生させるスピーカ部が設けられた耳あな形補聴器であって、
前記ケーシング本体に、ボタン形電池を収容可能な上方が開口した電池収容部が形成され、
前記ケーシング本体に、前記電池収容部の開口を塞ぐ蓋部材が、上方に開閉可能に回動可能に取り付けられ、
前記蓋部材が、蓋部材を閉じた時に電池収容部に形成された電池を吸着保持する磁石を備えている
ことを特徴とする耳あな形補聴器。
【請求項２】
前記ケーシング本体の電池収容部の底部と、前記電池収容部の側面とにそれぞれ端子が設けられ、電池収容部に電池を収容すると通電するように構成されている
ことを特徴とする請求項１に記載の耳あな形補聴器。
【請求項３】
前記ケーシング本体の電池収容部の底部と、前記蓋部材とにそれぞれ端子が設けられ、電池収容部に電池を収容して蓋部材を閉じると通電するように構成されている
ことを特徴とする請求項１に記載の耳あな形補聴器。
【発明の詳細な説明】
【技術分野】
【０００１】
本発明は、電池交換を容易に行うことができるように改良した補聴器に関する。
【背景技術】
【０００２】
従来から、聴覚障害者の聞き取りを補助する補装具として補聴器が用いられている。
補聴器の小型化は急速に進んでおり、それに伴い、使用する電池も直径１ｃｍ以下の非常に小さいボタン形電池が用いられるようになってきている。
このような補聴器には、マイク及びレシーバを備えた本体ケースに、電池ケースを収容する収容空間を設け、該収容空間に対して電池ケースを出没自在に取り付けてなる補聴器がある。
前記電池ケースは、略Ｃ字形状の電池保持部を備え、電池ケースを収容空間から本体ケースの外側に出した状態で、前記電磁保持部に電池を嵌め込むことによって前記電池保持部が電池を側面から保持するように構成されている（特許文献１参照）。
しかし、上記した従来の補聴器では、Ｃ字形状の電池保持部の保持力をある程度強くしなければ電池交換の時に電池が落下する可能性がある一方で、前記電池保持部の保持力を高めすぎると電池交換の時に電池保持部を強い力で押し広げなければならず操作性が悪くなるという問題があった。
上記した問題を解決するために、補聴器の本体ケースに有底筒形状の電池ケースを出没可能に設け、前記電池ケースの底部に磁石を設けて該磁石で電池を保持するように構成すると共に、前記電池ケースの側面に切欠きを設け、該切欠きから磁石で保持された電池を指で押し出すことができるように構成した補聴器が提案されている（特許文献２参照）。
【先行技術文献】
【特許文献】
【０００３】
【特許文献１】特開２００７−１７２８３９号公報
【特許文献２】特開２０１３−１５７７９１号公報
【発明の概要】
【発明が解決しようとする課題】
【０００４】
上記した特許文献２に係る補聴器によれば、Ｃ字形状の電池保持部を押し広げて電池を装着したり、又は電池を外したりする手間を必要とせず、単に、電池を電池ケースに入れるだけで磁石で電磁を保持することができ、また、電池を取り出す時には切欠きから電池を押し下げて電池を磁石から外すだけで電池を取り外すことができるので、操作性がよいという効果がある。
しかし、補聴器の利用者には高齢者が多いこと、そして、補聴器が非常に小型化されてきていて、電池の大きさも１ｃｍ以下になってきていることを考慮すると、補聴器における電池の出し入れの操作性についてはまだまだ改善する余地がある。
発明者等は、補聴器の電池の出し入れに関する構造について、鋭意研究を重ね、極めて操作性がよく、電池を取り外す時に電池を落下させて紛失してしまう可能性が殆どない補聴器を発明するに至った。
本発明は、電池の出し入れ、特に、電池を取り出す時の操作性が極めて優れている補聴器を提供することを目的としている。
【課題を解決するための手段】
【０００５】
上記した目的を達成するために、本発明による補聴器は、ケーシング本体に集音のためのマイク部、音を増幅する増幅手段及び音を発生させるスピーカ部が設けられた耳あな形補聴器であって、前記ケーシング本体に、ボタン形電池を収容可能な上方が開口した電池収容部が形成され、前記ケーシング本体に、前記電池収容部の開口を塞ぐ蓋部材が、上方に開閉可能に回動可能に取り付けられ、前記蓋部材が、蓋部材を閉じた時に電池収容部に形成された電池を吸着保持する磁石を備えていることを特徴とする。
前記補聴器は、前記ケーシング本体の電池収容部の底部と、前記電池収容部の側面とにそれぞれ端子を設け、電池収容部に電池を収容すると通電するように構成され得る。
また、前記補聴器は、前記ケーシング本体の電池収容部の底部と、前記蓋部材とにそれぞれ端子を設け、電池収容部に電池を収容して蓋部材を閉じると通電するように構成してもよい。
【発明の効果】
【０００６】
本発明による補聴器は、ケーシング本体に集音のためのマイク部、音を増幅する増幅手段及び音を発生させるスピーカ部が設けられた耳あな形補聴器であって、前記ケーシング本体に、ボタン形電池を収容可能な上方が開口した電池収容部が形成され、前記ケーシング本体に、前記電池収容部の開口を塞ぐ蓋部材が、上方に開閉可能に回動可能に取り付けられ、前記蓋部材が、蓋部材を閉じた時に電池収容部に形成された電池を吸着保持する磁石を備えているので、電池を入れる時は、蓋部材を開けた状態でケーシング本体の電池収容部にボタン形電池を所定の向きで落とし入れ、蓋部材を閉めるだけでよく複雑で細かい作業を必要とせず、かつ、電池を取り出す時は、蓋部材を開くと蓋部材に吸着された磁石が電池収容部から出てくるので、蓋部材に吸着された電池を指で抓んで持つことが容易に行えるという効果を奏する。このように構成することで、高齢者であっても簡単な作業で電池交換を行うことが可能になる。耳あな形補聴器は、非常に小さく、装着していることが分からないという特徴があるが、その小ささのために電池の交換が非常に困難であるという問題があったが、本発明によれば、係る問題点を解消することができ、小型の耳あな形補聴器をさらに便利に利用することが可能になるので、耳あな形補聴器においては極めて高い効果を奏するものである。
【図面の簡単な説明】
【０００７】
【図１】本発明に係る補聴器の蓋部材を開けて電池を収容した状態を示す斜視図である。
【図２】図１に示す状態から蓋部材を閉じた状態を示す補聴器の斜視図である。
【図３】図２に示す状態から蓋部材を開けた状態を示す補聴器の斜視図である。
【発明を実施するための形態】
【０００８】
以下、添付図面に示す一実施例を参照しながら本発明に係る補聴器の実施の形態について説明していく。
図１は本発明に係る補聴器の蓋部材を開けて電池を収容した状態を示す斜視図、図２は図１に示す状態から蓋部材を閉じた状態を示す補聴器の斜視図、そして、図３は図２に示す状態から蓋部材を開けた状態を示す補聴器の斜視図である。
図中、符号１は補聴器を示している。この補聴器１は、ケーシング本体２に集音のためのマイク部３、音を増幅する増幅手段４及び音を発生させるスピーカ部５が設けられた耳あな形補聴器である。
図１及び図３に示すように、ケーシング本体２には、ボタン形電池６を収容可能な電池収容部７が形成されている。この電池収容部７は上方が開口しており、使用者がボタン形電池６を落とし入れることができるように構成されている。
ケーシング本体２には、前記電池収容部７の開口を塞ぐための蓋部材８が設けられている。この蓋部材８は、上方に開閉することができるように、一端がケーシング本体２に、回動可能に取りつけられている。前記電池収容部７の底部と側壁には、それぞれ端子７ａ及び７ａが設けられており、電池収容部７に電池６を収容すると、通電するように構成されている。
上記したように構成された補聴器１における蓋部材８の内部には磁石９が設けられている。
この磁石９は、図１に示すように電池６を電池収容部７に収容した状態で、図２に示すように蓋部材８を閉めると、内部で電池６を吸着保持する。これにより、使用者は電池を交換する時には図３に示すように蓋部材８を開くだけで、電池６が蓋部材８に吸着されて電池収容部７から出てくるので、電池６を指で抓んで掴むことが可能になる。
近年、補聴器は小型化が進み、特に、耳あな形補聴器は本体の大きさが小さくまた、使用する電池も１ｃｍ以下と小さい。このため、ケーシング本体を片手指で持って蓋部材を開くだけでも、難しい作業になるため、蓋部材を開いた後に電池収容部から電池を取り出すのは非常に困難な作業であり、交換中に電池を落として紛失することも多かったが、本実施例によれば、蓋部材８に設けた磁石９が電池６を吸着保持しているため、蓋部材８を開くだけで電池６を電池収容部７から取り出すことができ、指で電池６を抓むことができるので電池の取出しが非常に容易である。また、蓋部材８が電池６を吸着保持しているために作業中に電池６を落として紛失してしまうこともない。また、新しい電池６は、電池収容部７に落とし入れてから蓋部材８を閉めてもよいが、蓋部材８の磁石９に電池６を吸着保持させてから蓋部材８を閉めることで電池６を電池収容部７に収容させるように使用してもよい。
上記した実施例では、前記電池収容部７の底部と側壁には、それぞれ端子７ａ及び７ａが設けられ電池収容部７に電池６を収容すると、通電するように構成されているが、この構成は本実施例に限定されることなく、例えば、前記電池収容部７の底部と前記蓋部材８に、それぞれ端子を設け、電池収容部７に電池６を収容して蓋部材８を閉じると通電するように構成してもよい。
【符号の説明】
【０００９】
１  補聴器
２  ケーシング本体
３  マイク部
４  増幅手段
５  スピーカ部
６  ボタン形電池
７  電池収容部
７ａ  端子
７ｂ  端子
８  蓋部材
９  磁石
【図１】
2015207979.tif 000003
【図２】
2015207979.tif 000004
【図３】
2015207979.tif 000005